(57)【特許請求の範囲】
【請求項１】
断熱壁の開口上縁外側に形成した凹所内に設けられた蛍光灯と、この蛍光灯の前方に設けられたシェードとを備えたショーケースにおいて、前記シェードの上方に設けられて前記シェードに係合する係止部材と、前記シェードの下部に設けられて前記シェードを支持する支持部材と、前記シェードの下部後方に設けられて前記シェードの後方及び左右方向への移動を規制する着脱可能な規制部材とを具備したことを特徴とするショーケース。
【請求項２】
断熱壁の開口上縁外側に形成した凹所内に設けられた蛍光灯と、この蛍光灯の前方に設けられたシェードと、シェード用開口を有する天板とを備えたショーケースにおいて、
前記シェードの上方に設けられた係止部材と、前記シェードの下部後方に設けられて前記シェードの後方及び左右方向への移動を規制する着脱可能な規制部材とを具備し、前記天板は前記シェードの下部を支持する支持部を有することを特徴とするショーケース。
【発明の詳細な説明】
【０００１】
【発明の属する技術分野】
本発明は、断熱壁の開口上縁外側に形成した凹所内に蛍光灯を設けたショーケースに関するものである。
【０００２】
【従来の技術】
従来この種ショーケースは、例えば特開平９−１４０５１６号公報に示される。図７及び図８に示す如く、本体には、シェード用開口６４ｅを具備したパネル６４が取り付けられており、このシェード用開口６４ｅの裏側には、シェード６７が配置されている。そして、シェード６７を支持するシェード保持金具７４は、一端部に前記シェード６７の裏面に対向するシェード支持部７４ａが形成され、他端部に前記パネルに固定されている固定部７４ｂが形成されており、この固定部７４ｂとシェード支持部７４ａとの間には、パネル６４の取り付け部６４ａとショーケース本体との間に介在するスペーサー部７４ｃが形成されている。このスペーサー部７４ｃは、パネル６４がショーケース本体に取り付けられていない時には、前記パネル６４の裏面から離れている。一方、前記パネル６４がショーケース本体に取り付けられている時には、前記スペーサー部７４ｃが前記パネル６４の裏面側に近づき、それに伴って、シェード支持部７４ａがシェード６７側に移動して、シェード６７を支持している。そして、それに伴って、シェード支持部７４ａがシェード６７側に移動して、シェード６７を支持している。
【０００３】
この様に構成されているショーケースにおいて、シェード６７を取り付けるには、パネル６４の裏面に、シェード６７を配置する。この際には、シェード６７の上端部は、シェード保持金具７４のシェード支持部７４ａと、パネル６４の前面部６４ｂとの間の隙間に挿入する。そして、シェード６７の下端の裏面側に位置決め部材６９を嵌め込み、シェード６７の両サイドを位置決めし、ついで、位置決め部材６９とパネル６４の当接部６４ｄとの間に押さえ金具７１を嵌め込む。この押さえ金具７１の弾性力で、位置決め部材６９をシェード６７側に付勢して、シェード６７の下端部を固定する。
【０００４】
そして、ビス６５を、パネル６４の取り付け部６４ａの孔、およびシェード保持金具７４のスペーサー部７４ｃの孔に挿入して、パネル取り付け金具６０の支持部６０ａにねじ込む。すると、パネル６４は、パネル取り付け金具６０を介してショーケース本体に取り付けられる。また、このビス６５のねじ込みにより、パネル６４の取り付け部６４ａがパネル取り付け金具６０の支持部６０ａ側に移動して、取り付け部６４ａ、シェード保持金具７４のスペーサー部７４ｃおよび支持部６０ａが密着する。したがって、パネル６４を取り付けた後の状態では、パネル６４の取り付け部６４ａと、シェード保持金具７４のスペーサー部７４ｃとが相互に近接し、それにともなって、シェード保持金具７４のシェード支持部７４ａがシェード６７の上端部の裏面に当接押圧して、シェード６７を固定する。
【０００５】
このようにして、パネル６４をショーケース本体に取り付ける作業を行うと共に、シェード６７を固定することができるものであった。
【０００６】
【発明が解決しようとする課題】
しかしながら、経年劣化によりシェード６７が黄変したり、外力が加わって割れたりした場合や広告を印刷した他のシェード６７に交換する必要が生じる場合がある。このような場合に、パネル６４やシェード６７、位置決め部材６９等を一体として取り外してシェードを交換するのでは、これらが全体として非常に重量があるものであるためメンテナンス作業性が極めて悪いという問題があった。また、シェードを固定するために成された上記構成は部品点数が多く、組立作業性も極めて悪いという問題があった。
【０００７】
本発明は、係る従来の技術的課題を解決するために成されたものであり、部品点数を減少させると共に、シェードの取り付け構造を改善し、シェードを容易に交換できるショーケースを提供することを目的とする。
【０００８】
【課題を解決するための手段】
本発明の請求項１のショーケースは、断熱壁の開口上縁外側に形成した凹所内に設けられた蛍光灯と、この蛍光灯の前方に設けられたシェードとを備えたものであって、前記シェードの上方に設けられて前記シェードに係合する係止部材と、前記シェードの下部に設けられて前記シェードを支持する支持部材と、前記シェードの下部後方に設けられて前記シェードの後方及び左右方向への移動を規制する着脱可能な規制部材とを具備したものである。
【０００９】
請求項１の発明によれば、シェードの上方に設けられて前記シェードに係合する係止部材と、前記シェードの下部に設けられて前記シェードを支持する支持部材と、前記シェードの下部後方に設けられて前記シェードの後方及び左右方向への移動を規制する着脱可能な規制部材とを具備したので、規制部材を取り外すことによって容易にシェードを取り外すことができる。また、少数の部品でシェードの移動を規制することができる。
【００１０】
請求項２の発明のショーケースは、断熱壁の開口上縁外側に形成した凹所内に設けられた蛍光灯と、この蛍光灯の前方に設けられたシェードと、シェード用開口を有する天板とを備えたものであって、前記シェードの上方に設けられた係止部材と、前記シェードの下部後方に設けられて前記シェードの後方及び左右方向への移動を規制する着脱可能な規制部材とを具備し、前記天板は前記シェードの下部を支持する支持部を有するものである。
【００１１】
請求項２の発明によれば、シェードの上方に設けられた係止部材と、前記シェードの下部後方に設けられて前記シェードの後方及び左右方向への移動を規制する着脱可能な規制部材とを具備し、前記天板は前記シェードの下部を支持する支持部を有するものとしたので、規制部材を取り外すことによって容易にシェードを取り外すことができる。また、少数の部品でシェードの移動を規制することができる。特に、シェードが規制部材によって規制されてシェードが左右に移動しないので、シェードが天板のシェード用開口を閉塞しない状態を防止することができる。
【００１２】
【発明の実施の形態】
次に、図面に基づき本発明の実施例を詳述する。図１は本発明のショーケース１の斜視図、図２は本発明のショーケース１の縦断側面図、図３はショーケース１の断熱壁２上部前端の縦断側面図、図４はショーケース１のシェード部の要部分解斜視図、図５はシェード部の部分拡大図、図６は本発明の他の実施例に係るシェード部の要部分解斜視図をそれぞれ示している。
【００１３】
本発明のショーケース１は断面略コ字状の断熱壁２と、この断熱壁２の両側に取り付けられた側板６、６とから構成されている。断熱壁２の内側には間隔を存して仕切板４が取り付けられ、仕切板４と断熱壁２間をダクト７としている。
【００１４】
仕切板４を構成する背部仕切板１０の下端前方には底板９が断熱壁２の底壁２Ａとの間にダクト用の間隔を存して取り付けられており、これら仕切板４及び底板９の内側を貯蔵室１１としている。断熱壁２の前面開口１２の上縁にはハニカム材１３が取り付けられた吐出口１６が設けられており、この吐出口１６はダクト７に連通している。そして、前面開口１２の下縁には吸込口１８が形成されている。
【００１５】
一方、底板９下方後部には断熱壁２の底壁２Ａ上に図示しないファンケースが設置されており、このファンケースには図示しない送風機が取り付けられている。また、前記吸込口１８は、前記送風機を経てダクト７に連通せられている。
【００１６】
背部仕切板１０後方のダクト７内には冷却装置の一部を構成する冷却器２７が縦設されており、前記送風機が運転されると冷却器２７と熱交換した冷気はダクト７内を上昇せられ、吐出口１６より吸込口１８に向かって吐出される。そして、吸込口１８から吸い込まれた冷気は再び送風機によって加速される。これによって、前面開口１２にはエアーカーテンが形成され、冷気の一部は貯蔵室１１内に循環されて貯蔵室１１は冷却される。尚、貯蔵室１１内には上下に複数段の棚３１・・が架設されている。
【００１７】
一方、断熱壁２の天壁２Ｂ前端には第１の反射板３３が取り付けられている。この第１の反射板３３は例えば白色塗装された鋼板であり、吐出口１６の上側に位置した上壁３３Ａと前側に位置した前壁３３Ｂとから成る。また、断熱壁２の天壁２Ｂの上方にはさらに塗装された鋼板製の天板８が取り付けられている。この天板８は、断熱壁２の天壁２Ｂの上方の天面部８Ａと、この天面部８Ａの前端から下方に延在した前面部８Ｂと、この前面部８Ｂの下端から後方に延在した支持部８Ｃと、更にこの支持部８Ｃの後端から上方に延在した垂直部８Ｄとを有しているものである。
【００１８】
天板８の前面部８Ｂの直後方には、アクリル乳白半透明板から成る透光性の板状のシェード３９が取り付けられている。天板８の前面部８Ｂ及びこのシェード３９は第１の反射板３３の前壁３３Ｂの前方に間隔を存して対向しており、これによって両者の間に下方に開放した凹所５１が形成されている。そして、この凹所５１内に位置して蛍光灯３６が、クリップ５３により第１の反射板３３前方の第２の反射板３７に取り付けられている。従って、シェード３９は、蛍光灯３６により直接照らされるばかりでなく、この第２の反射板３７及び前記第１の反射板３３によって反射された光によっても照らされている。尚、クリップ５３は、合成樹脂にて成形されており、蛍光灯３６の交換時は、一時的に変形させて交換することができる。
【００１９】
天板８の前面部８Ｂには、略長円状に穿設されたシェード用開口８Ｅが設けられ、シェード３９は、このシェード用開口８Ｅより少許長い幅寸法とされている。シェード３９の上方には、天板８の天面部８Ａに溶接結合された係止部材２３が設けられている。この係止部材２３には、天板８の前面部８Ｂから少許間隔を存して、シェード３９の上部の後面に当接する当接部２３Ａと、この当接部２３Ａから前方に延在した複数の爪部２３Ｂが設けられている。
【００２０】
また、シェード３９の下端は、天板８の支持部８Ｃにより支持されている。更に、この支持部８Ｃの上面に規制部材２４が配置されている。この規制部材２４は、略垂直な規制部２４Ａと、この規制部２４Ａから後方に延在した下当接部２４Ｂと、この下当接部２４Ｂの後端から上方に延在した固定部２４Ｃとから成る略コ字状の断面のもので、上方に開口している。更に、この規制部材２４の左右側面には固定部２４Ｃの両端から前方に少許突出した突出部２４Ｄが形成されている。また、この規制部材２４の固定部２４Ｃには複数の固定孔２４Ｅが設けられており、この規制部材２４は前述の天板８の垂直部８Ｄに設けられた図示しない孔を介して挿入される螺子３８によって固定されている。
【００２１】
以上の構成により、シェード３９の上部は、天板８の前面部８Ｂと当接部２３Ａとにより前後の移動が規制され、また、爪部２３Ｂにより、上方への移動が規制される。また、シェード３９の下端は、天板８の支持部８Ｃにより支持されると共に、天板８の前面部８Ｂと規制部材２４の規制部２４Ａとの間に置かれて前後の移動が規制され、更に、規制部材２４の左右の突出部２４Ｄによりシェード３９の左右方向への移動が規制されている。
【００２２】
次に、経年劣化によりシェード３９が黄変したり、外力が加わって割れたりした場合や広告を印刷した他のシェード３９に交換する必要が生じる場合がある。このような場合には、以下のようにシェード３９を交換する。
【００２３】
まず、天板８の垂直部８Ｄに規制部材２４を固定している螺子３８を外して、規制部材２４を取り外す。これにより、規制部材２４の突出部２４Ｄが存しなくなるのでシェード３９の左右方向への移動が規制されなくなる。しかも、天板８の前面部８Ｂ後方の係止部材２３はシェード３９の左右方向への移動を規制していないので、シェード３９を左右方向に移動させることができる。そこで、シェード３９を左右方向いずれかへ移動した後、後方の凹所５１内へ少許引くことにより、シェード３９は自由になり取り外すことができる。尚、蛍光灯３６が凹所５１に存するためシェード３９を外し難い場合には、一旦蛍光灯３６をクリップ５３から外してからこのクリップ５３を一時的に変形又は９０度回転させると、凹所５１内に空間を確保することができるので、シェード３９を交換することが容易となる。
【００２４】
そして、新しいシェード３９を下方から凹所５１内に挿入して、上方の係止部材２３と天板８の前面部８Ｂとの隙間に配置させ、次いで、このシェード３９の下端を天板８の下端の支持部８Ｃに支持させてから、規制部材２４を所定の位置に配置し螺子３８により規制部材２４を固定する。このように、規制部材２４を外すことによりシェード３９を容易に交換することができるので、交換作業性が著しく向上する。さらに、シェード３９の両端部を規制部材２４の突出部２４Ｄに当接させているので、シェード３９は左右方向に容易に移動しなくなり、シェード３９がシェード用開口８Ｅを閉塞しない状態を防止することができる。
【００２５】
また、シェード用開口８Ｅが長く従ってシェード３９が長いため、シェード３９を左又は右に摺動させると側板６、６に接触して取り外し難い場合は次のようにシェード３９を交換する。まず、ショーケース１に天板８を固定している図示しない螺子を外してショーケース１から天板８、シェード３９及び規制部材２４を一緒に持ち上げて外す。次に、天板８の垂直部８Ｄに規制部材２４を固定している螺子３８を外して、規制部材２４を取り外す。これにより、規制部材２４の突出部２４Ｄが存しなくなり、シェード３９の左右方向への移動が規制されなくなる。しかも、天板８の前面部８Ｂ後方の係止部材２３はシェード３９の左右方向への移動を規制していないので、シェード３９を左右方向に移動させることができる。そこで、シェード３９を左右方向へ摺動させて、シェード３９を取り外す。
【００２６】
そして、新しいシェード３９を上方の係止部材２３と天板８の前面部８Ｂとの隙間に後方から挿入し係合させると共に、天板８の下端の支持部８Ｃに支持させ、規制部材２４を所定の位置に配置し、螺子３８により固定すると、シェード３９の両端は規制部材２４の突出部２４Ｄに当接させることができる。これによって、シェード３９は左右方向に容易に移動しなくなり、シェード３９がシェード用開口８Ｅを閉塞しない状態を防止することができる。
【００２７】
尚、本実施例では、天板８の天面部８Ａと前面部８Ｂ等が一体である場合について説明したが、それに限らず、図６に示す如く、天板は上下に分割され、上天板４０と下天板４１とから成り、従ってシェード用開口が無くこの分割された区間にシェード３９が側板６、６間に渡って設けられ、シェード３９の下端は、下天板４１により支持されている場合にも本発明は有効である。その場合、シェード３９は上天板４０、下天板４１の幅と同程度の長さとなるため左又は右に摺動させると側板６、６に接触して取り外し難くなるので、以下の如く行う。即ち、下天板４１をショーケース１に固定している図示しない螺子を外してショーケース１から下天板４１、シェード３９及び規制部材２４を一緒に引き下げて外す。そして、シェード３９を下天板４１の垂直部４１Ｂと規制部材２４の規制部２４Ａとの隙間から取り出すことによりシェード３９を交換することができる。尚、この場合に、係止部材２３及び規制部材２４の形状は、前記実施例と同様である。
【００２８】
【発明の効果】
以上詳述した如く本発明によれば、シェードの上方に設けられて前記シェードに係合する係止部材と、前記シェードの下部に設けられて前記シェードを支持する支持部材と、前記シェードの下部後方に設けられて前記シェードの後方及び左右方向への移動を規制する着脱可能な規制部材とを具備したので、規制部材を取り外すことによって容易にシェードを取り外すことができる。また、少数の部品でシェードの移動を規制することができる。
【００２９】
請求項２の発明によれば、シェードの上方に設けられた係止部材と、前記シェードの下部後方に設けられて前記シェードの後方及び左右方向への移動を規制する着脱可能な規制部材とを具備し、前記天板は前記シェードの下部を支持する支持部を有するものとしたので、規制部材を取り外すことによって容易にシェードを取り外すことができる。また、少数の部品でシェードの移動を規制することができる。特に、シェードが規制部材によって規制されてシェードが左右に移動しないので、シェードが天板のシェード用開口を閉塞しない状態を防止することができる。
【図面の簡単な説明】
【図１】本発明のショーケースの斜視図である。
【図２】本発明のショーケースの縦断側面図である。
【図３】ショーケースの断熱壁上部前端の縦断側面図である。
【図４】ショーケースのシェード部の要部分解斜視図である。
【図５】シェード部の部分拡大図である。
【図６】本発明の他の実施例に係るシェード部の要部分解斜視図である
【図７】パネルを取り付ける前の従来例のシェード部を示すショーケースの縦断側面図である。
【図８】パネルを取り付けた後の従来例のシェード部を示すショーケースの縦断側面図である。
【符号の説明】
１  ショーケース
２  断熱壁
８  天板
８Ｂ  前面部
８Ｃ  支持部
８Ｄ  垂直部
８Ｅ  シェード用開口
１１  貯蔵室
１２  前面開口
２３  係止部材
２３Ａ  当接部
２３Ｂ  爪部
２４  規制部材
２４Ａ  規制部
２４Ｂ  下当接部
２４Ｃ  固定部
２４Ｄ  突出部
３６  蛍光灯
３９  シェード
５１  凹所
５３  クリップ
【図１】
0004121240.tif 000002
【図２】
0004121240.tif 000003
【図３】
0004121240.tif 000004
【図４】
0004121240.tif 000005
【図５】
0004121240.tif 000006
【図６】
0004121240.tif 000007
【図７】
0004121240.tif 000008
【図８】
0004121240.tif 000009